(57)【要約】　　　（修正有）【課題】小型カセットをカセットホルダから取り出し易くする。【解決手段】カセットホルダ２１の左右側面２１ｂ，２１ｃに一対のスライダ２６，２７をスライド可能に設け、且つ、一対のスライダ２６，２７にカセット蓋開閉部材４０の左右側面４０ａ，４０ｂを回動可能に取り付けると共に、カセット蓋開閉部材４０の左右側面４０ａ，４０ｂ間に形成した連結部４０ｃに連接してアーム支持部を設け、このアーム支持部に一対のカセット押し出しアーム４７，４８を回動可能に支持させてなり、小型カセット１１を装着したカセットホルダ２１が記録再生位置からカセット挿脱位置に戻った後の一対のスライダ２６，２７のカセット挿脱位置側への移動に協働して一対のカセット押し出しアーム４７，４８を小型カセットの押し出し方向に回動させている。【選択図】　　　図２
2004062970.tif 000002
【特許請求の範囲】
【請求項１】
大型カセットと小型カセットとをカセット挿脱位置で選択的に装着し、且つ、前記大型カセット又は前記小型カセットと一体にカセット挿脱位置と記録再生位置との間を往復動するカセットホルダと、
前記カセットホルダの左右側面に位相を合わせてスライド可能に一対取り付けられ、且つ、前記カセットホルダと一体にカセット挿脱位置と記録再生位置とのを間を往復動する第１態様動作と、前記カセットホルダが記録再生位置からカセット挿脱位置に戻った後に前記カセットホルダの左右側面に沿ってカセット挿脱位置側に向かって更に移動する第２態様動作とを取り得る一対のスライダと、
前記一対のスライダに左右側面を回動可能に取り付けられ、且つ、左右側面間に形成した連結部に連接して蓋開閉部を前記大型カセットの前面蓋又は前記小型カセットの前面蓋と対向して設け、前記カセットホルダがカセット挿脱位置と記録再生位置との間を往復動する動作に伴って前記蓋開閉部を回動させて該蓋開閉部で各前記前面蓋を開閉するカセット蓋開閉部材とを備えたカセット装着装置において、
前記カセット蓋開閉部材の連結部に連接してアーム支持部を設け、このアーム支持部に一対のカセット押し出しアームを回動可能に支持させてなり、
前記小型カセットを装着した前記カセットホルダが記録再生位置からカセット挿脱位置に戻った後の前記一対のスライダのカセット挿脱位置側への移動に協働して前記一対のカセット押し出しアームを前記小型カセットの押し出し方向に回動させることを特徴とするカセット装着装置。
【請求項２】
請求項１記載のカセット装着装置において、
前記大型カセットを装着した前記カセットホルダが記録再生位置からカセット挿脱位置に戻った際に、カセット挿脱位置での前記一対のスライダのカセット挿脱位置側への移動を不作動とすることを特徴とするカセット装着装置。
【発明の詳細な説明】
【０００１】
【発明の属する技術分野】
本発明は、大型カセットと小型カセットとをカセット挿脱位置で一つのカセットホルダ上に選択的に装着し、且つ、このカセットホルダ上に装着した大型カセット又は小型カセットをカセット挿脱位置と記録再生位置との間で往復動させるように構成したカセット装着装置において、とくに、カセットホルダが記録再生位置からカセット挿脱位置に戻った際にカセット挿脱位置で小型カセットを取り出し易くしたカセット装着装置に関するものである。
【０００２】
【従来の技術】
一般的に、ＶＴＲ（Ｖｉｄｅｏ　Ｔａｐｅ　Ｒｅｃｏｒｄｅｒ）などに適用されるカセット装着装置において、音声情報や映像情報などの各種の情報を長時間に亘って記録再生するために多量の磁気テープを収納した大型カセットと、各種の情報を短時間に亘って記録再生するために少量の磁気テープを収納した小型カセットとをカセット挿脱位置で一つのカセットホルダ上に選択的に装着し、このカセットホルダ上に装着した大型カセット又は小型カセットをカセット挿脱位置から記録再生位置に移動させて、記録再生位置で回転自在な回転ドラムに取り付けた磁気ヘッドにより磁気テープに情報を記録したり、記録済みの情報を再生できるように構成したカセット装着装置は、大小２種類のカセットを使用者の要求に応じて選択できるので使い勝手が良く多用されている。
【０００３】
この種のカセット装着装置では、とくに、大型カセット又は小型カセットを装着したカセットホルダが記録再生位置からカセット挿脱位置に戻った際に、カセット挿脱位置で小型カセットをつかみ易く排出させることが必要であり、この目的を達成するために各種の構造形態が開発されているものの、本出願人は先に特開２００２−１１７６０１号公報にて小型カセットをつかみやすいように排出することができ、且つ、部品点数が少なく、占有面積が小さく、小型化、薄型化することができるカセット装着装置を提案した。
【０００４】
上記した特開２００２−１１７６０１号公報にて提案した従来のカセット装着装置では、ここでの図示を省略するものの、大型カセット又は小型カセットを選択的に装着するためのカセットホルダの左右側面の各外側に、一対のスライダを互いに対向させて両者位相を合わせながらカセットホルダの左右側面の外側に沿ってスライド可能に取り付けている。この際、一対のスライダは、親亀の背中で小亀が移動できる構造形態を採用しており、具体的には、カセットホルダ（親亀）と一対のスライダ（小亀）とが一体にカセット挿脱位置と記録再生位置との間を往復動する第１態様動作と、カセットホルダと一体に一対のスライダが記録再生位置からカセット挿脱位置に戻った後に一対のスライダのみがカセットホルダの左右側面の外側に沿ってカセット挿脱位置側（前方）に向かって更に移動する第２態様動作とを取り得るようになっている。
【０００５】
また、一対のスライダにカセット蓋開閉部材（リッドオープナー）の左右側面が回動可能に取り付けられており、且つ、カセット蓋開閉部材の左右側面間に形成した連結部に連接して蓋開閉部が大型カセットの前面蓋又は小型カセットの前面蓋と対向して設けられている。そして、大型カセット又は小型カセットを装着したカセットホルダがカセット挿脱位置と記録再生位置との間を往復動する動作に伴って、カセット蓋開閉部材の蓋開閉部が回動してこの蓋開閉部で大型カセットの前面蓋又は小型カセットの前面蓋を開閉している。
【０００６】
更に、大型カセットを装着したカセットホルダが記録再生位置からカセット挿脱位置に戻る際には、前記した第１態様動作だけが作動するようになっているために、カセットホルダ及び一対のスライダに取り付けたカセット蓋開閉部材は共にカセット挿脱位置で停止するものの、大型カセットはカセット挿脱位置から前方への突出量が大きいので、大型カセットを何等の支障もなく取り出すことができるようになっている。
【０００７】
一方、小型カセットを装着したカセットホルダが記録再生位置からカセット挿脱位置に戻る際には、前記した第１態様動作が作動した後に更に第２態様動作が作動するようになっているために、カセットホルダはカセット挿脱位置で停止しているものの、一対のスライダは第２態様動作によりカセットホルダの左右側面の外側に沿ってカセット挿脱位置側（前方）に向かって更に移動するので、一対のスライダに取り付けたカセット蓋開閉部材も一体にカセット挿脱位置側（前方）に向かって移動して、このカセット蓋開閉部材の連結部で小型カセットの前面蓋を押しながら小型カセットをカセットホルダから前方に向かって少量押し出すことができるようになっている。
【０００８】
【発明が解決しようとする課題】
ところで、上記した従来のカセット装着装置では、カセットホルダの左右側面の外側に一対のスライダを第１，第２態様動作可能に取り付け、更に、一対のスライダにカセット蓋開閉部材を取り付けて、小型カセットを装着した時のみ第２態様動作による一対のスライダのカセット挿脱位置側（前方）への移動により、カセット蓋開閉部材の連結部で小型カセットをカセットホルダから前方に向かって少量押し出すことができるものの、小型カセットを使用者の手で把持する量が不足しているために、小型カセットがいまひとつ取り出しづらいという問題がある。
【０００９】
そこで、従来のカセット装着装置の技術的思想を踏まえた上で、小型カセットをカセットホルダから押し出す際の突出量を更に増やして、小型カセットを従来例よりも一層つかみやすいように排出することができるカセット装着装置が望まれている。
【００１０】
【課題を解決するための手段】
本発明は上記課題に鑑みてなされたものであり、第１の発明は、大型カセットと小型カセットとをカセット挿脱位置で選択的に装着し、且つ、前記大型カセット又は前記小型カセットと一体にカセット挿脱位置と記録再生位置との間を往復動するカセットホルダと、
前記カセットホルダの左右側面に位相を合わせてスライド可能に一対取り付けられ、且つ、前記カセットホルダと一体にカセット挿脱位置と記録再生位置とのを間を往復動する第１態様動作と、前記カセットホルダが記録再生位置からカセット挿脱位置に戻った後に前記カセットホルダの左右側面に沿ってカセット挿脱位置側に向かって更に移動する第２態様動作とを取り得る一対のスライダと、
前記一対のスライダに左右側面を回動可能に取り付けられ、且つ、左右側面間に形成した連結部に連接して蓋開閉部を前記大型カセットの前面蓋又は前記小型カセットの前面蓋と対向して設け、前記カセットホルダがカセット挿脱位置と記録再生位置との間を往復動する動作に伴って前記蓋開閉部を回動させて該蓋開閉部で各前記前面蓋を開閉するカセット蓋開閉部材とを備えたカセット装着装置において、
前記カセット蓋開閉部材の連結部に連接してアーム支持部を設け、このアーム支持部に一対のカセット押し出しアームを回動可能に支持させてなり、
前記小型カセットを装着した前記カセットホルダが記録再生位置からカセット挿脱位置に戻った後の前記一対のスライダのカセット挿脱位置側への移動に協働して前記一対のカセット押し出しアームを前記小型カセットの押し出し方向に回動させることを特徴とするカセット装着装置である。
【００１１】
また、第２の発明は、上記した第１の発明のカセット装着装置において、
前記大型カセットを装着した前記カセットホルダが記録再生位置からカセット挿脱位置に戻った際に、カセット挿脱位置での前記一対のスライダのカセット挿脱位置側への移動を不作動とすることを特徴とするカセット装着装置である。
【００１２】
【発明の実施の形態】
以下に本発明に係るカセット装着装置の一実施例を図１乃至図９を参照して詳細に説明する。
【００１３】
図１（ａ），（ｂ）は本発明に係るカセット装着装置に適用される大型カセット，小型カセットを夫々示した斜視図、
図２は本発明に係るカセット装着装置を示した斜視図、
図３は図２に示した一対のカセット押し出しアームの構造を説明するための斜視図であり、（ａ）は初期状態を示し、（ｂ）はカセット押し出し状態を示した図である。
【００１４】
本発明に係るカセット装着位置を説明する前に、このカセット装着位置に適用される大型カセットと、小型カセットとについて図１（ａ），（ｂ）を用いて簡略に説明する。
【００１５】
図１（ａ），（ｂ）に示した如く、例えばＤＶＣ規格を採用してディジタル記録再生できる形態の大型カセット１及び小型カセット１１が開発されている。上記した大型カセット１及び小型カセット１１は、夫々の内部に供給リール２，１２と巻取リール３，１３とに巻回した磁気テープＴが同一幅のメタルテープを用いてデジタル記録再生に対応できるように開発されたものであり、大型カセット１の寸法は横幅×奥行き×高さが１２４ｍｍ×７７ｍｍ×１４ｍｍであり、一方、小型カセット１１の寸法は横幅×奥行き×高さが６６ｍｍ×４８ｍｍ×１２ｍｍであり、それぞれ規格化されている。
【００１６】
また、この種のディジタル記録再生できるカセット構造では、大型カセット１の前面１ａを覆う前面蓋４又は小型カセット１１の前面１１ａを覆う前面蓋１４を先頭にして後述するカセットホルダ２１（図２）に挿入する方向と対応させて大型カセット１及び小型カセット１１の左右方向を設定して説明すると、大型カセット１の前面蓋４をロックしている左右側面側の一対のロックアーム５，６を解除する際には、後述するカセットホルダ２１内に設けた大型カセット用の蓋ロック解除片２１ａ１，２１ａ２を前面蓋４の下部左右に形成した切り欠き４ａ，４ｂからそれぞれ進入させて、蓋ロック解除片２１ａ１，２１ａ２で一対のロックアーム５，６を大型カセット１の背面１ｂ側に向かって押して、一対のロックアーム５，６による前面蓋４へのロックを解除するようになっている。
【００１７】
一方、小型カセット１１の前面蓋１４をロックしている右側面側のロックアーム１５を解除する際には、後述するカセットホルダ２１内に設けた小型カセット用の蓋ロック解除片２５ｂを前面蓋１４の下部右側に形成した切り欠き１４ｂから進入させて、蓋ロック解除片２５ｂでロックアーム１５を小型カセット１１の背面１１ｂ側に向かって押して、ロックアーム１５による前面蓋１４へのロックを解除するようになっている。尚、前面蓋１４の下部左側に形成した切り欠き１４ａはカセットホルダ２１内に設けた小型カセット用の位置決め片２４ｂが進入するようになっている。
【００１８】
次に、図２に示した如く、本発明に係るカセット装着装置２０では、大型カセット１と小型カセット１１とを選択的に装着するためのカセットホルダ２１が板金部材を用いて一体的に折り曲げ形成されている。
【００１９】
即ち、カセットホルダ２１は、板金部材を用いて平坦な底面２１ａの左右端部を上方に向かって折り曲げて左側面２１ｂと右側面２１ｃとが間隔を離して互いに対向して略垂直に形成されており、且つ、図示手前側は大型カセット１又は小型カセット１１をカセットホルダ２１へ挿脱するために開口されていると共に、図示奥側も大型カセット１内の磁気テープＴ又は小型カセット１１内の磁気テープＴを記録再生位置に設けた回転ドラム（図示せず）に引き出すために開口されている。
【００２０】
また、カセットホルダ２１の左右側面２１ｂ，２１ｃ間の内側寸法を大型カセット１の横幅寸法に対応させることにより、底面２１ａ上に大型カセット１が載置可能になっていると共に、底面２１ａ上で左右側面２１ｂ，２１ｃの内側近傍に大型カセット１の前面蓋４のロックを解除するための蓋ロック解除片２１ａ１，（２１ａ２…図示せず）が僅かの高さを持って上方に向かって切り起こし形成されているので、大型カセット１のカセットホルダ２１への挿入動作に伴って蓋ロック解除片２１ａ１，（２１ａ２）で大型カセット１に設けた一対のロックアーム５，６による前面蓋４へのロックを解除するようになっている。
【００２１】
また、カセットホルダ２１の底面２１ａの前方（矢印Ｙ１方向）で中心部を挟んだ左右に、小型カセット１１内の供給リール１２及び巻取リール１３が臨むリール用逃げ孔２１ａ３，２１ａ４と、大型カセット１内の供給リール２及び巻取リール３が臨むリール用切り欠き部２１ａ５，２１ａ６とが連接して肉抜き形成され、更に、底面２１ａの後方で中心部に磁気テープＴを引き出すためのテープ引き出し部材（図示せず）が進入するためのテープ引き出し用逃げ切り欠き部２１ａ７が肉抜き形成されている。
【００２２】
また、カセットホルダ２１の底面２１ａ上でリール用逃げ孔２１ａ３，２１ａ４の左右には板バネ用逃げ孔２１ａ８，２１ａ９が貫通して形成されており、この板バネ用逃げ孔２１ａ８，２１ａ９内に底面２１ａの裏面に固着した板バネ２２，２３が常時上方に付勢されながら上下方向に変位可能になっている。
【００２３】
これらの板バネ２２，２３には、小型カセット１１の横幅方向を案内するガイド片２４ａ，２５ａと、小型カセット１１の前面蓋１４のロックを解除すると共に小型カセット１１の奥行き方向を位置決めするための蓋ロック解除片兼用位置決め片２４ｂ，２５ｂとを樹脂材により一体的にインサート成形したガイド片／蓋ロック解除片／位置決め片２４，２５が固着されている。そして、大型カセット１をカセットホルダ２１上に装着した際には、板バネ２２，２３と一体にガイド片／蓋ロック解除片／位置決め片２４，２５が大型カセット１の底面の下方に沈み込む一方、小型カセット１１をカセットホルダ２１上に装着した際には、上方に付勢されたガイド片／蓋ロック解除片／位置決め片２４，２５で小型カセット１１の横幅方向を案内しながら小型カセット１１の前面蓋１４のロックを解除し且つ小型カセット１１の奥行き方向を位置決めしている。
【００２４】
また、カセットホルダ２１の左右側面２１ｂ，２１ｃの外側には、一対のスライダ２６，２７が互いに対向して両者位相を合わせて前後方向（矢印Ｙ１，Ｙ２方向）にスライド可能に取り付けられていると共に、この一対のスライダ２６，２７に後述するカセット蓋開閉部材（リッドオープナー）４０の左右側面４０ａ，４０ｂが回動可能に取り付けられている。また、一対のスライダ２６，２７の外側には、シャーシーの左側板２８と右側板２９とが互いに対向して左右対称に垂設されている。この際、シャーシーの左側板２８及び右側板２９は、垂設した左右側板部２８ａ，２９ａの前方下方がそれぞれ内側に向かって略直角に折り曲げられて前側板部２８ｂ，２９ｂが形成され、これらの前側板部２８ｂ，２９ｂの各内側にカセットホルダ２１の底面２１ａの前方左右端から突出した前端部２１ａ１０，２１ａ１１が当接することで、カセットホルダ２１がカセット挿脱位置に位置決めされるようになっている。
【００２５】
ここで、カセットホルダ２１の左側面２１ｂ側と右側面２１ｃ側とは互いに左右対称構造であるため、図示の都合上、以下、カセットホルダ２１の右側面２１ｃ側に設けた各構成部材について説明し、左側面２１ｂ側の説明を省略する。
【００２６】
まず、カセットホルダ２１の右側面２１ｃの外側には、２本の水平ピン３０，３１が前後に間隔を離して固着されており、これらの水平ピン３０，３１がスライダ２７に形成した水平溝２７ａ，２７ｂ内に嵌合することで、スライダ２７がカセットホルダ２１の右側面２１ｃの外側に沿って前後方向（矢印Ｙ１，Ｙ２方向）に水平移動可能になっている。
【００２７】
また、スライダ２７には、前方部位と中間部位とにガイドピン３２，３３が外側に向かって水平に突出して固着されていると共に、前方のガイドピン３２の上方にもピン３４が固着されている。そして、スライダ２７に固着した２本のガイドピン３２，３３は、シャーシーの右側板２９の右側板部２９ａ上でカセット挿脱位置側の水平溝と記録再生位置側の垂直溝とをＬ字状に連接して形成した２本のＬ字状ガイド溝２９ａ１，２９ａ２内に嵌合していると共に、更に、２本のガイドピン３２，３３は、右側板２９の外側に水平移動自在に設けた不図示の第１，第２ラックにも係合している。尚、不図示の第１，第２ラックは不図示のギア列により第１，第２ラックが重なり合った状態で一体に水平移動する動作と、第１ラック上を第２ラックが水平移動する動作とを取り得るようになっているものである。
【００２８】
また、カセットホルダ２１の後方側に固着した水平ピン３１と、スライダ２７の前方側に固着したピン３４との間に引張バネ３５が掛け渡されており、この引張バネ３５によりスライダ２７はカセットホルダ２１の後方（矢印Ｙ２方向）側に常時付勢されている。
【００２９】
上記したスライダ２７は、従来技術で説明したと同様に、親亀の背中で小亀が移動できる構造形態を採用しており、具体的には、カセットホルダ（親亀）２１とスライダ（小亀）２７とが一体に右側板２９の右側板部２９ａに形成したＬ字状ガイド溝２９ａ１，２９ａ２に案内されて不図示の第１，第２ラックによりカセット挿脱位置と記録再生位置とのを間を往復動する第１態様動作と、カセットホルダ２１と一体にスライダ２７が記録再生位置からカセット挿脱位置に戻った後にスライダ２７のみが不図示の第２ラックによりカセットホルダ２１の右側面２１ｃの外側に沿ってカセット挿脱位置側（前方の矢印Ｙ１方向）に向かって更に移動する第２態様動作とを取り得るようになっている。
【００３０】
この際、カセット挿脱位置では図示を省略するものの、大型カセット１が挿入されたことを検出する大型カセット検出器と、小型カセット１１が挿入されたことを検出する小型カセット検出器とが設けられている。そして、大型カセット１をカセットホルダ１１に装着して大型カセット検出器がＯＮ状態の時には、制御部によって上記した第１態様動作だけが行われ、一方、小型カセット１１をカセットホルダ１１に装着して小型カセット検出器がＯＮ状態の時には、制御部によって上記した第１，第２態様動作が共に行われるようになっている。
【００３１】
上記に伴って、カセットホルダ２１の右側面２１ｃの外側と、スライダ２７の内側との間には、ロックアーム３６が上記した水平ピン３０を中心にして不図示のバネにより図示反時計方向に常時付勢されながら回動可能に支持されている。この際、ロックアーム３６のうちで、上方側に向かって延出させた一端部に水平ピン３７が固着され、且つ、水平ピン３０を介して後方側に向かって延出させた他端部に突起３６ａが形成されている。
【００３２】
そして、ロックアーム３６が不図示のバネの付勢力により水平ピン３０を中心に図示反時計方向に回動して、ロックアーム３６の他端部に形成した突起３６ａがスライダ２７の下端に凹状に切り欠いた凹部２７ｃ内に進入している場合には、スライダ２７がカセットホルダ２１に対してロックされている状態となるので、カセットホルダ２１とスライダ２７とが一体となってカセット挿脱位置と記録再生位置との間を往復動する第１態様動作を取り得るようになっている。
【００３３】
一方、ロックアーム３６の一端部に固着した水平ピン３７を不図示のロック解除部材によりカセットホルダ２１の前方（矢印Ｙ１方向）に向かって押圧すると、ロックアーム３６が不図示のバネの付勢力に抗して水平ピン３０を中心に図示時計方向に回動するので、ロックアーム３６の他端部に形成した突起３６ａが、スライダ２７の下端に凹状に切り欠いた凹部２７ｃ内から離脱し、これによりスライダ２７がカセットホルダ２１に対してロックを解除されるので、スライダ２７のみがカセットホルダ２１の右側面２１ｃの外側に沿ってカセット挿脱位置側（矢印Ｙ１方向）に移動する第２態様動作を取り得るようになっている。
【００３４】
次に、本発明の要部となるカセット蓋開閉部材（リッドオープナー）４０は、板金部材を用いて折り曲げ形成されており、このカセット蓋開閉部材４０の左右側面４０ａ，４０ｂがカセットホルダ２１の左右側面２１ｂ，２１ｃにスライド可能に取り付けた一対のスライダ２６，２７にピン（４１…左側図示せず），４２を中心にして回動可能に取り付けられている。また、カセット蓋開閉部材４０は、左側面４０ａと右側面４０ｂとに連接して左右側面４０ａ，４０ｂ間に連結部４０ｃがカセットホルダ２１の底面２１ａに対して略垂直で且つカセットホルダ２１の横幅寸法と対応して長尺に形成されていると共に、連結部４０ｃに連接して蓋開閉部４０ｄがカセットホルダ２１の前方（矢印Ｙ１方向）に向かってＬ字状に曲げ形成されており、この蓋開閉部４０ｄはカセットホルダ２１に装着した大型カセット１の前面蓋４又は小型カセット１１の前面蓋１４に対向して各前面蓋４，１４の下端部に進入できるようになっている。この際、カセット蓋開閉部材４０の蓋開閉部４０ｄは、連結部４０ｃの中心部より右側で板バネ２３の後方側の延長線上に形成されている。
【００３５】
また、カセット蓋開閉部材４０の左右側面４０ａ，４０ｂには、ガイドピン（４３…左側図示せず），４４が外側に向かって水平に突出して固着されている。そして、カセット蓋開閉部材４０の右側面４０ｂ側について説明すると、右側面４０ｂに固着したガイドピン４４は、シャーシーの右側板２９の右側板部２９ａ上で２本のＬ字状ガイド溝２９ａ１，２９ａ２よりも上方に形成した蓋開閉用ガイド溝２９ａ３内に嵌合している。この際、右側板２９に形成した蓋開閉用ガイド溝２９ａ３は、前方側が略水平に形成され、中間部位から後方に向かって右上がりに傾斜し、更に、傾斜した終端部位から下方に向かって曲げられてカム形状を成している。これにより、大型カセット１又は小型カセット１１を装着したカセットホルダ２１がカセット挿脱位置と記録再生位置との間を往復動する動作に伴って、カセット蓋開閉部材４０の蓋開閉部４０ｄが蓋開閉用ガイド溝２９ｃのカム形状に応じて回動するので、蓋開閉部４０ｄが大型カセット１の前面蓋４の下端部又は小型カセット１１の前面蓋１４の下端部に当接しながら前面蓋４又は前面蓋１４を開閉している。
【００３６】
また、図３（ａ），（ｂ）にカセット蓋開閉部材４０の右側を拡大してカセットホルダ２１の後方側（矢印Ｙ２方向側）から見て図示すると、カセット蓋開閉部材４０の連結部４０ｃのうちで中間部位に連接してアーム支持部４０ｅが後方側（矢印Ｙ２方向側）に向かって僅かな奥行き幅でＬ字状に折り曲げ形成されており、このアーム支持部４０ｅはカセットホルダ２１の底面２１ａに対して略平行に平板状に設けられている。更に、カセット蓋開閉部材４０のアーム支持部４０ｅ上には、一対の垂直ピン（４５…左側図示せず），４６が中心部近傍の左右に垂設され、この一対の垂直ピン（４５），４６に板金材を用いてＬ字状に折り曲げ形成した一対のカセット押し出しアーム（４７…左側図示せず），４８が回動可能に支持されている。
【００３７】
上記した一対のカセット押し出しアーム（４７），４８は、カセット蓋開閉部材４０の連結部４０ｃの中心部位から離れた側の各一端部（４７ａ），４８ａと、カセット蓋開閉部材４０の連結部４０ｃの中心部位から離れた左右端側に切り起こした切り起こし片（４０ｃ１），４０ｃ２との間で掛け渡された一対の引張バネ（４９），５０によって図３（ａ）に示した初期状態でカセット蓋開閉部材４０の連結部４０ｃに対して略平行に付勢されている。
【００３８】
また、一対のカセット押し出しアーム（４７），４８の各後面（４７ｂ），４８ｂから下方に突出させてカセッホルダ２１の底面２１ａの後端部２１ａ１２に向かって折り曲げ形成したストッパ片（４７ｃ），４８ｃは、カセッホルダ２１の底面２１ａの後端部２１ａ１２に当接可能に設けられている。
【００３９】
また、一対のカセット押し出しアーム（４７），４８の高さは、カセット蓋開閉部材４０の連結部４０ｃの高さ以下に抑えられているので、大型カセット１の前面蓋４又は小型カセット１１の前面蓋１４を開蓋すると時にカセット蓋開閉部材４０の連結部４０ｃが装置内の上方に向かって回動しても一対のカセット押し出しアーム（４７），４８を従来の装置の高さと略同じ高さ以内におさめることができる。
【００４０】
また、一対のカセット押し出しアーム（４７），４８の各後面（４７ｂ），４８ｂには、長尺に形成した一対の板バネ（５１），５２が溶着されている。この際、一対の板バネ（５１），５２は、連結部４０ｃの中心部位から離れた側の各一端部（５１ａ），５２ａ側が溶着されていると共に、連結部４０ｃの中心部位に近い各他端部（５１ｂ），５２ｂに樹脂材を用いて前方側を円弧状に形成した一対のカセット押圧部材（５３），５４がそれぞれ取り付けられ、これらのカセット押圧部材（５３），５４が連結部４０ｃの中心部位の左右に貫通して形成した矩形孔４０ｃ３，４０ｃ４内に進退自在になっている。この際、一対の板バネ（５１），５２の各他端部（５１ｂ），５２ｂ側は、各一他端部（５１ａ），５２ａ側に対して弾性変位可能になっているために、大型カセット１又は小型カセット１１を押し出す時に万一外部からカセット押し出し方向と反対側の力が作用した場合に一対のカセット押し出しアーム（４７），４８の弾性変位により異常な力を吸収して装置２０の破壊を防止することができるようになっている。更に、一対の板バネ（５１），５２の各他端部（５１ｂ），５２ｂに取り付けた一対のカセット押圧部材（５３），５４は、小型カセット１１の前面蓋１４を傷つけることなく押圧するために樹脂材を用いて当接部位を円弧状に形成している。
【００４１】
そして、右側についてのみ説明すると、図３（ａ）に示した初期状態では、スライダ２７がカセットホルダ２１の後方（矢印Ｙ２方向）側に移動して図２に示したロックアーム３６によりロックされているため、このスライダ２７に支持したカセット蓋開閉部材４０もカセットホルダ２１の後方（矢印Ｙ２方向）側に移動している。この時、カセット蓋開閉部材４０のアーム支持部４０ｄ上に垂直ピン４６を中心に回動可能に支持したカセット押し出しアーム４８は引張バネ５０によってカセット蓋開閉部材４０の連結部４０ｃと略平行な姿勢を取っているため、カセット押し出しアーム４８の後面４８ｂに溶着させた板バネ５２もカセット蓋開閉部材４０の連結部４０ｃと略平行になると共に、板バネ５２の他端部５２ｂに取り付けたカセット押圧部材５４は連結部４０ｃに貫通して形成した矩形孔４０ｃ４内を臨んでいるものの、カセット押圧部材５４はカセットホルダ２１の前方（矢印Ｙ１方向）側に突出することなく待機している。
【００４２】
次、図３（ｂ）に示したカセット押し出し状態では、図２に示したロックアーム３６によるスライダ２７へのロックが解除されて、スライダ２７のみがカセットホルダ２１の右側面２１ｃの外側に沿ってカセットホルダ２１の前方（矢印Ｙ１方向）に向かって所定距離移動するので、スライダ２７に支持したカセット蓋開閉部材４０もカセットホルダ２１の前方に向かって移動する。この時、カセット蓋開閉部材４０のアーム支持部４０ｄ上に垂直ピン４６を中心に回動可能に支持したカセット押し出しアーム４８は、このアーム４８に一体形成したストッパ片４８ｃがカセットホルダ２１の底面２１ａの後端部２１ａ１２に当接しているため、カセット蓋開閉部材４０の前方移動に協働して引張バネ５０の付勢力に抗しながら垂直ピン４６を中心に図示反時計方向に回動するので、カセット押し出しアーム４８の後面４８ｂに溶着させた板バネ５２の他端部５２ｂに取り付けたカセット押圧部材５４は連結部４０ｃに貫通して形成した矩形孔４０ｃ４内からカセットホルダ２１の前方（矢印Ｙ１方向）に向かって大巾に突出できるようになっているので、カセット押圧部材５４で小型カセット１１を押し出すことができる。
【００４３】
ここで、上記のように構成した本発明に係るカセット装着装置２０の動作について、図４〜図９を用いて説明する。
【００４４】
図４は本発明に係るカセット装着装置において、初期状態でカセットホルダがカセットホルダ挿脱位置に至っている時に、小型カセットをカセットホルダに装着した状態を示した右側面図、
図５は本発明に係るカセット装着装置において、初期状態でカセットホルダがカセットホルダ挿脱位置に至っている時に、小型カセットをカセットホルダに装着した状態を示した平面図、
図６は本発明に係るカセット装着装置において、小型カセットを装着したカセットホルダが記録再生位置に至った状態を示した右側面図、
図７は本発明に係るカセット装着装置において、小型カセットを装着したカセットホルダが記録再生位置からカセット挿脱位置に戻った時に、小型カセットをカセット蓋開閉部材に取り付けた一対のカセット押し出しアームで押し出す状態を示した右側面図、
図８は本発明に係るカセット装着装置において、小型カセットを装着したカセットホルダが記録再生位置からカセット挿脱位置に戻った時に、小型カセットをカセット蓋開閉部材に取り付けた一対のカセット押し出しアームで押し出す状態を示した平面図、
図９は本発明に係るカセット装着装置において、カセットホルダがカセットホルダ挿脱位置に至っている時に、大型カセットをカセットホルダに装着した状態又は大型カセットをカセットホルダから離脱させる状態を示した平面図である。
【００４５】
まず、図４及び図５を併用して説明すると、カセットホルダ２１が初期状態の時には、カセットホルダ２１の底面２１ａの前方左右端から突出した前端部２１ａ１０，２１ａ１１がシャーシーの左側板２８及び右側板２９の前側板部２８ｂ，２９ｂの各内側に当接することで、カセットホルダ２１はカセット挿脱位置に至っている。
【００４６】
また、カセット挿脱位置ではここでの図示を省略するものの、大型カセット１が挿入されたことを検出する大型カセット検出器と、小型カセット１１が挿入されたことを検出する小型カセット検出器とが設けられている。
【００４７】
ここで、小型カセット１１をカセットホルダ２１の底面２１ａ上に挿入すると、不図示の小型カセット検出器がＯＮ状態となり、不図示の制御部は前記した第１，第２態様動作を取るように制御する。
【００４８】
また、小型カセット１１をカセットホルダ２１に装着する際に、カセットホルダ２１の底面２１ａの裏面に固着させた板バネ２２，２３にインサート成形したガイド片／蓋ロック解除片／位置決め片２４，２５で小型カセット１１の横幅方向を案内しながら小型カセット１１の前面蓋１４のロックを解除し且つ小型カセット１１の奥行き方向を位置決めしている。
【００４９】
また、カセットホルダ２１が初期状態の時には、カセットホルダ２１の左右側面２１ｂ，２１ｃにスライド可能に取り付けた一対のスライダ２６，２７は、図２に示したロックアーム（３６），３６によってカセットホルダ２１の後方（矢印Ｙ２方向）側にロックされており、カセットホルダ２１と一対のスライダ２６，２７とが一体となって移動可能になっている。
【００５０】
また、一対のスライダ２６，２７に左右側面４０ａ，４０ｂを回動可能に取り付けたカセット蓋開閉部材４０は、カセットホルダ２１の後方（矢印Ｙ２方向）側で小型カセット１１の前面蓋１４と対向するように待機にしており、左右側面４０ａ，４０ｂ間に掛け渡した連結部４０ｃから連接して下方に曲げ形成した蓋開閉部４０ｄが前面蓋１４の下端部に進入可能になっている。
【００５１】
また、カセット蓋開閉部材４０のアーム支持部４０ｅ上に垂直ピン４５，４６を中心に回動可能に支持した一対のカセット押し出しアーム４７，４８は、引張バネ４９，５０によってカセット蓋開閉部材４０の連結部４０ｃと略平行な姿勢を取っている。また、一対のカセット押し出しアーム４７，４８に溶着させた一対の板バネ５１，５２の各他端部に取り付けたカセット押圧部材５３，５４は、連結部４０ｃに貫通して形成した矩形孔４０ｃ３，４０ｃ４内からカセットホルダ２１の前方に向かって大巾に突出することなく待機している。
【００５２】
次に、図６に示した如く、カセット挿脱位置で小型カセット１１を装着したカセットホルダ２１は、前記した第１態様動作に基づいて不図示の第１，第２ラックの駆動力によりカセットホルダ２１の左右側面２１ｂ，２１ｃに取り付けた一対のスライダ（２６），２７と一体となってカセット挿脱位置から記録再生位置に移動される。この際、一対のスライダ（２６），２７に固着したガイドピン（３２，３３），３２，３３をシャーシーの左右側板（２８），２９に形成したＬ字状ガイド溝（２８ａ１，２８ａ２），２９ａ１，２９ａ２に沿わせて移動することで、小型カセット１１を装着したカセットホルダ２１が水平移動した後に記録再生位置に下降する。また、カセットホルダ２１の記録再生位置への移動中に、カセット蓋開閉部材４０の左右側面（４０ａ），４０ｂに固着したガイドピン（４３），４４をシャーシーの左右側板（２８），２９に形成した蓋開閉用ガイド溝（２８ａ３），２９ａ３に沿わせて移動することで、蓋開閉用ガイド溝（２８ａ３），２９ａ３のカム形状に応じてカセット蓋開閉部材４０の蓋開閉部４０ｄがピン（４１），４２を中心に回動して蓋開閉部４０ｄで小型カセット１１の前面蓋１４を開蓋している。そして、記録再生位置で回転自在な回転ドラムに取り付けた磁気ヘッドにより小型カセット１１内の磁気テープＴに情報を記録したり、記録済みの情報を再生している。
【００５３】
この後、小型カセット１１を装着したカセットホルダ２１を記録再生位置からカセット挿脱位置に戻す動作は上記と逆の動作で行われ、且つ、カセット蓋開閉部材４０の蓋開閉部４０ｄで小型カセット１１の前面蓋１４を閉蓋している。
【００５４】
次に、図７及び図８を併用して説明すると、小型カセット１１を装着したカセットホルダ２１が記録再生位置からカセット挿脱位置に戻ると、カセットホルダ２１の底面２１ａの前方左右端から突出した前端部２１ａ１０，２１ａ１１がシャーシーの左側板２８及び右側板２９の前側板部２８ｂ，２９ｂの各内側に当接するので、カセットホルダ２１はカセット挿脱位置で停止すると共に、図示しないロック解除手段により図２に示したロックアーム（３６），３６による一対のスライダ２６，２７のカセットホルダ２１へのロックを解除する。
【００５５】
ここで、予め図示しない小型カセット検出器で小型カセット１１の挿入を検出しているので、図示しない第２ラックが第１ラック上を移動し、一対のスライダ２６，２７に形成した水平溝（２６ａ，２６ｂ），２７ａ，２７ｂがカセットホルダ２１の左右側面２１ｂ，２１ｃに固着したガイドピン（３０，３１），３０，３１に案内されながら一対のスライダ２６，２７のみが第２ラックの駆動力によりカセットホルダ２１の前方（矢印Ｙ１方向）に向かって所定距離移動するので、一対のスライダ２６，２７に支持したカセット蓋開閉部材４０もガイドピン４３，４４が蓋開閉用ガイド溝（２８ａ３），２９ａ３に案内されながらカセットホルダ２１の前方（矢印Ｙ１方向）に向かって移動する。
【００５６】
そして、従来技術で説明したようにカセット蓋開閉部材４０のカセットホルダ２１の前方（矢印Ｙ１方向）への移動によりカセット蓋開閉部材４０の連結部４０ｃで前面蓋１４を押しながら小型カセット１１を押し出した場合には、二点鎖線で示したように小型カセット１１の押し出し量Ｌ１が少量で略８ｍｍ程度となる。
【００５７】
これに対して、本発明では、先に図３（ｂ）を用いて説明したように、カセット蓋開閉部材４０の前方移動に協働して、カセット蓋開閉部材４０のアーム支持部４０ｄ上に回動可能に支持した一対のカセット押し出しアーム４７，４８が、ここに一体に形成したストッパ片４７ｃ，４８ｃをカセットホルダ２１の底面２１ａの後端部２１ａ１２に当接させながら引張バネ４９，５０に抗して垂直ピン４５，４６を中心にカセット押し出し方向にそれぞれ回動することにより、一対のカセット押し出しアーム４７，４８に溶着させた一対の板バネ５１，５２も一対のカセット押し出しアーム４７，４８と一体に回動し、一対の板バネ５１，５２の他端部５１ｂ，５２ｂに取り付けた一対のカセット押圧部材５３，５４は連結部４０ｃに貫通して形成した矩形孔４０ｃ３，４０ｃ４内からカセットホルダ２１の前方に向かって大巾に突出して、一対のカセット押圧部材５３，５４で前面蓋１４を押しながら小型カセット１１を押し出すので、実線で示したように小型カセット１１の押し出し量Ｌ２が増して略１５ｍｍ程度となり、従来に比べて約倍程度押し出し量が増加するので、小型カセット１１を使用者の手で確実につかみ出すことが可能となる。
【００５８】
次に、図９に示した如く、初期状態でカセットホルダ２１がカセット挿脱位置に至っている時に大型カセット１をカセットホルダ２１に装着すると、不図示の大型カセット検出器がＯＮ状態となり、不図示の制御部は前記した第１態様動作のみを取るように制御する。
【００５９】
また、大型カセット１をカセットホルダ２１に装着する際に、カセットホルダ２１の左右側面２１ｂ，２１ｃの内側に沿って大型カセット１を案内しながら、底面２１ａ上の左右端近傍に切り起こした蓋ロック解除片２１ａ１，２１ａ２で大型カセット１の前面蓋１４のロックを解除している。
【００６０】
そして、大型カセット１を装着したカセットホルダ２１を、前記した第１態様動作に基づいて不図示の第１，第２ラックの駆動力によりカセットホルダ２１の左右側面２１ｂ，２１ｃに取り付けた一対のスライダ２６，２７と一体となって記録再生位置まで移動させ、且つ、移動途中にカセット蓋開閉部材４０の蓋開閉部４０ｄで大型カセット１の前面蓋４を開蓋し、更に、記録再生位置からカセット挿脱位置に戻る時も上記と逆の動作が行われている。
【００６１】
ここで、大型カセット１を装着したカセットホルダ２１がカセット挿脱位置に戻った際に、大型カセット１のカセットホルダ２１の前方への突出量Ｌ３は３０ｍｍ程度と十分に大きいために、一対のスライダ２６，２７に支持したカセット蓋開閉部材４０をカセット挿脱位置でカセットホルダ２１の前方へ移動させる必要がないために前方への移動を不作動とし、第１態様動作のみを取るように制御されている。これにより、小型カセット１１のカセットホルダ２１からの排出動作に比べて大型カセット１の排出動作を短時間で行うことができる。
【００６２】
【発明の効果】
以上詳述した本発明に係るカセット装着装置において、請求項１記載によると、とくに、カセットホルダの左右側面に一対のスライダをスライド可能に設け、且つ、一対のスライダにカセット蓋開閉部材の左右側面を回動可能に取り付けると共に、カセット蓋開閉部材の左右側面間に形成した連結部に連接してアーム支持部を設け、このアーム支持部に一対のカセット押し出しアームを回動可能に支持させてなり、小型カセットを装着したカセットホルダが記録再生位置からカセット挿脱位置に戻った後の一対のスライダのカセット挿脱位置側への移動に協働して一対のカセット押し出しアームを小型カセットの押し出し方向に回動させているので、小型カセットの押し出し量が従来に比べて約倍程度増加するので、小型カセットを使用者の手で確実につかみ出すことが可能となる。
【００６３】
また、請求項２記載によると、大型カセットを装着したカセットホルダが記録再生位置からカセット挿脱位置に戻った際に、カセット脱位置での一対のスライダのカセット挿脱位置側への移動を不作動としたために、一対のカセット押し出しアームによる押し出し動作も行われないものの、大型カセットのカセットホルダからの突出量が十分あるので、小型カセットのカセットホルダからの排出動作に比べて大型カセットの排出動作を短時間で行うことができる。
【図面の簡単な説明】
【図１】（ａ），（ｂ）は本発明に係るカセット装着装置に適用される大型カセット，小型カセットを夫々示した斜視図である。
【図２】本発明に係るカセット装着装置を示した斜視図である。
【図３】図２に示した一対のカセット押し出しアームの構造を説明するための斜視図であり、（ａ）は初期状態を示し、（ｂ）はカセット押し出し状態を示した図である。
【図４】本発明に係るカセット装着装置において、初期状態でカセットホルダがカセットホルダ挿脱位置に至っている時に、小型カセットをカセットホルダに装着した状態を示した右側面図である。
【図５】本発明に係るカセット装着装置において、初期状態でカセットホルダがカセットホルダ挿脱位置に至っている時に、小型カセットをカセットホルダに装着した状態を示した平面図である。
【図６】本発明に係るカセット装着装置において、小型カセットを装着したカセットホルダが記録再生位置に至った状態を示した右側面図である。
【図７】本発明に係るカセット装着装置において、小型カセットを装着したカセットホルダが記録再生位置からカセット挿脱位置に戻った時に、小型カセットをカセット蓋開閉部材に取り付けた一対のカセット押し出しアームで押し出す状態を示した右側面図である。
【図８】本発明に係るカセット装着装置において、小型カセットを装着したカセットホルダが記録再生位置からカセット挿脱位置に戻った時に、小型カセットをカセット蓋開閉部材に取り付けた一対のカセット押し出しアームで押し出す状態を示した平面図である。
【図９】本発明に係るカセット装着装置において、カセットホルダがカセットホルダ挿脱位置に至っている時に、大型カセットをカセットホルダに装着した状態又は大型カセットをカセットホルダから離脱させる状態を示した平面図である。
【符号の説明】
１…大型カセット、２…供給リール、３…巻取リール、４…前面蓋、
５…ロックアーム、
１１…小型カセット、１２…供給リール、１３…巻取リール、１４…前面蓋、
１５…ロックアーム、
２０…カセット装着装置、
２１…カセットホルダ、２１ａ…底面、２１ｂ…左側面、２１ｃ…右側面、
２６，２７…一対のスライダ、２８…左側板、２９…右側板、
３６…ストッパーアーム、
４０…カセット蓋開閉部材（リッドオープナー）、
４０ａ…左側面、４０ｂ…右側面、４０ｃ…連結部、４０ｄ…蓋開閉部、
４０ｅ…アーム支持部、
４５，４６…垂直ピン、
４７，４８…一対のカセット押し出しアーム、４７ｃ，４８ｃ…ストッパ片、
４９，５０…一対の引張バネ、５１，５２…一対の板バネ、
５３，５４…一対のカセット押圧部材。
【図１】
2004062970.tif 000003
【図２】
2004062970.tif 000004
【図３】
2004062970.tif 000005
【図４】
2004062970.tif 000006
【図５】
2004062970.tif 000007
【図６】
2004062970.tif 000008
【図７】
2004062970.tif 000009
【図８】
2004062970.tif 000010
【図９】
2004062970.tif 000011